(57)【要約】【課題】カバー部材の縁部と収納部との隙間に器具を挿入してカバー部材をこじ開けるといった不正行為を効果的に阻止することのできる自動販売機の防盗構造を提供する。【解決手段】バール等の器具Ａをカバー部材５の上縁部と収納部４との隙間に挿入してカバー部材５をこじ開けようとした場合、器具Ａの先端から下方に力を加えると、カバー部材５の第１のフランジ部５ｃがカバー部材５の内側に向かって折れ曲がり、第１のフランジ部５ｃが第１の移動規制部材６の係止部６ａに係止する。これにより、第１のフランジ部５ｃと係止部６ａとの係止によりカバー部材５の開放方向への移動が規制され、器具Ａによってカバー部材５をこじ開けることができなくなる。【選択図】図８
2005316915.tif 000002
【特許請求の範囲】
【請求項１】
前面を開口した自動販売機本体と、自動販売機本体の前面開口部を開閉する外扉と、外扉の背面側に配置された金銭処理装置とを備え、外扉の背面側には、金銭処理装置を収納する収納部と、収納部を開閉するカバー部材とを設けた自動販売機の防盗構造において、
前記カバー部材の縁部に収納部内に向かって延びる折り曲げ可能なフランジ部を設けるとともに、
収納部内にはフランジ部がカバー部材の内側に向かって折り曲げられるとフランジ部に係止してカバー部材の開放方向への移動を規制する移動規制部材を設けた
ことを特徴とする自動販売機の防盗構造。
【請求項２】
前記移動規制部材に、折り曲げられたフランジ部に係止する係止部と、フランジ部を間にして係止部と間隔をおいて配置された補強部とを設けた
ことを特徴とする請求項１記載の自動販売機の防盗構造。
【請求項３】
前記移動規制部材をカバー部材のフランジ部に沿って延びる係止部と補強部とを一体に有する略Ｕ字状の部材によって形成した
ことを特徴とする請求項２記載の自動販売機の防盗構造。
【請求項４】
前記フランジ部の先端にカバー部材の内側に向かって延びる係止片を設けるとともに、
移動規制部材にはフランジ部がカバー部材の内側に向かって折り曲げられるフランジ部の係止片が挿入される孔を設けた
ことを特徴とする請求項１記載の自動販売機の防盗構造。
【請求項５】
前記移動規制部材に、カバー部材が閉鎖状態のときにフランジ部の係止片にカバー部材の開放方向に係止するとともに、カバー部材に開放方向の力を加えるとフランジ部の弾性変形により係止片との係止を解除される係止部を設けた
ことを特徴とする請求項４記載の自動販売機の防盗構造。
【発明の詳細な説明】
【技術分野】
【０００１】
本発明は、例えばビン、缶またはペットボトル入り飲料等の商品を販売する自動販売機の防盗構造に関するものである。
【背景技術】
【０００２】
従来、この種の自動販売機としては、前面を開口した自動販売機本体と、自動販売機本体の前面開口部を開閉する外扉と、外扉の背面側に配置された金銭処理装置とを備え、外扉の背面側には、金銭処理装置を収納する収納部と、収納部を開閉するカバー部材とを設け、カバー部材を錠前で施錠するようにしたものが知られている（例えば、特許文献１参照。）。
【特許文献１】実開昭６２−４６９８４号公報
【発明の開示】
【発明が解決しようとする課題】
【０００３】
ところで、前記自動販売機においては、金銭や商品の盗み出しを目的とする不正行為によって外扉が開放された場合、外扉の背面側に配置された金銭処理装置は錠前を有するカバー部材によって覆われているものの、カバー部材は堅牢な構造ではないため、例えばバールのような器具をカバー部材の縁部と収納部との隙間に挿入してカバー部材をこじ開けるといった不正行為に対しては、これを阻止するための十分な強度を有していないという問題点があった。
【０００４】
本発明は前記問題点に鑑みてなされたものであり、その目的とするところは、カバー部材の縁部と収納部との隙間に器具を挿入してカバー部材をこじ開けるといった不正行為を効果的に阻止することのできる自動販売機の防盗構造を提供することにある。
【課題を解決するための手段】
【０００５】
本発明は前記目的を達成するために、前面を開口した自動販売機本体と、自動販売機本体の前面開口部を開閉する外扉と、外扉の背面側に配置された金銭処理装置とを備え、外扉の背面側には、金銭処理装置を収納する収納部と、収納部を開閉するカバー部材とを設けた自動販売機の防盗構造において、前記カバー部材の縁部に収納部内に向かって延びる折り曲げ可能なフランジ部を設けるとともに、収納部内にはフランジ部がカバー部材の内側に向かって折り曲げられるとフランジ部に係止してカバー部材の開放方向への移動を規制する移動規制部材を設けている。
【０００６】
これにより、バール等の器具をカバー部材の縁部と収納部との隙間に挿入してカバー部材をこじ開けようとした場合、器具の先端からカバー部材の内側に向かって力を加えると、カバー部材のフランジ部がカバー部材の内側に向かって折れ曲がり、フランジ部が移動規制部材に係止することから、フランジ部と移動規制部材との係止によりカバー部材の開放方向への移動が規制され、器具によってカバー部材をこじ開けることができなくなる。
【発明の効果】
【０００７】
本発明によれば、バール等の器具をカバー部材の縁部と収納部との隙間に挿入してカバー部材をこじ開けようとすると、フランジ部が移動規制部材に係止してカバー部材をこじ開けることができなくなるので、カバー部材を不正に開放しようとする行為を効果的に阻止することができ、収納部内の金銭処理装置に対する防盗効果を高めることができる。
【発明を実施するための最良の形態】
【０００８】
図１乃至図９は本発明の一実施形態を示すもので、図１は自動販売機の全体斜視図、図２は外扉を開放した状態を示す斜視図、図３はカバー部材を開放した状態を示す斜視図、図４はカバー部材及び移動規制部材を示す斜視図、図５は収納部の上部を示す正面断面図、図６はカバー部材の開閉動作を示す要部側面断面図図７はその要部平面断面図、図８は第１のフランジ部の係止動作を示す要部側面断面図、図９は第２のフランジ部の係止動作を示す要部側面断面図である。
【０００９】
この自動販売機は、前面を開口した自動販売機本体１と、自動販売機本体１の前面開口部を開閉する外扉２と、外扉２の背面側に配置された金銭処理装置３とを備え、外扉２の背面側には、金銭処理装置３を収納する収納部４と、収納部４を開閉するカバー部材５と、不正行為によるカバー部材５の開放方向への移動を規制する第１及び第２の移動規制部材６，７が設けられている。
【００１０】
自動販売機本体１は断熱性の内扉１ａによって開閉する商品収納庫（図示せず）を備え、商品収納庫内にはサーペンタイン式等の商品コラムが収容されている。また、内扉１ａの下部には複数の商品搬出口１ｂが設けられ、商品コラムから搬出された商品は商品搬出口１ｂから搬出されるようになっている。
【００１１】
外扉２は幅方向一端を自動販売機本体１に回動自在に支持され、その前面には、複数の商品サンプル２ａ、複数の商品選択スイッチ２ｂ、硬貨投入口２ｃ、紙幣投入口２ｄ、金額表示部２ｅ、硬貨返却口２ｆ及び商品取出口２ｇが設けられている。
【００１２】
金銭処理装置３は、硬貨投入口２ｃから硬貨が投入される硬貨処理装置３ａと、紙幣投入口２ｄから紙幣が投入される紙幣処理装置３ｂとからなり、硬貨処理装置３ａ及び紙幣処理装置３ｂ内には硬貨及び紙幣が収納されるようになっている。
【００１３】
収納部４は外扉２の背面の幅方向一端側に配置され、上下方向及び幅方向に延びる外扉補強用の複数のフレーム部材８によって囲まれている。収納部４内には金銭処理装置３の硬貨処理装置３ａ及び紙幣処理装置３ｂが収納されるとともに、販売データを記憶したマイクロコンピュータなど、図示しない他の機器も収納されている。
【００１４】
カバー部材５は金属製の板状部材からなり、収納部４の幅方向一端側に回動自在に支持されている。カバー部材５の幅方向他端側にはカバー部材５を閉鎖状態で施錠する錠前機構５ａが設けられ、カバー部材５の前面には錠前機構５ａに連通する鍵穴５ｂが設けられている。カバー部材５の上端には収納部内４に向かって垂直に延びる第１のフランジ部５ｃが設けられ、第１のフランジ部５ｃは上下方向に折り曲げ可能に形成されている。また、カバー部材５の幅方向他端には収納部内４に向かって垂直に延びる第２のフランジ部５ｄが設けられ、第２のフランジ部５ｄは左右方向に折り曲げ可能に形成されている。この場合、第２のフランジ部５ｄの先端にはカバー部材５の幅方向一端側に向かって垂直に延びる係止片５ｅが設けられている。
【００１５】
第１の移動規制部材６は、収納部４の幅方向に延びる係止部６ａ及び補強部６ｂを有し、係止部６ａ及び補強部６ｂは互いに上下方向に間隔をおいて配置されている。この場合、第１の移動規制部材６は係止部６ａ及び補強部６ｂを一体に有する略Ｕ字状の金属部材によって形成され、例えば焼き入れ処理等が施された硬度の高い材料が用いられる。係止部６ａは一端側を補強部６ｂの一端側と連続するように形成され、カバー部材５の第１のフランジ部５ｃの下方に位置するようになっている。この場合、係止部６ａの他端側は、収納部４内に配置された固定部材９を貫通することによって固定されている。補強部６ｂは上方のフレーム部材８の下面に溶接等によって強固に固定され、カバー部材５の第１のフランジ部５ｃの上方に位置するようになっている。この場合、上方のフレーム部材８の前後方向一端側（外扉２側）は後方に向かって下り傾斜をなす傾斜部８ａを形成しており、その前後方向他端（カバー部材５側）には下方に向かって屈曲する屈曲部８ｂが設けられている。
【００１６】
第２の移動規制部材７は上下方向に延びる板状の部材からなり、その前後方向一端側（外扉２側）は外扉２側に固定されている。第２の移動規制部材７の前後方向他端（カバー部材５側）にはカバー部材５の係止片５ｅを係止する係止部７ａが設けられ、係止部７ａは前後方向中央側が一側方に突出するように断面略く字状に形成されている。また、第２の移動規制部材７には係止部７ａよりも前後方向一端側に上下方向に延びる長孔７ｂが設けられ、長孔７ｂはカバー部材５の係止片５ｅを挿入可能な長さに形成されている。
【００１７】
以上の構成においては、錠前５ａの施錠を解除し、カバー部材５を回動して収納部４を開放することにより、金銭処理装置３に対して金銭の回収等を行うことができる。また、カバー部材５を閉鎖して錠前５ａを施錠することにより、カバー部材５が錠前５ａによって閉鎖状態で施錠される。その際、図６に示すようにカバー部材５の第１のフランジ部５ｃが第１の移動規制部材６の係止部６ａと補強部６ｂとの間に挿入され、第１のフランジ部５ｃの下方には係止部６ａが位置し、第１のフランジ部５ｃの上方には補強部６ｂが位置する。
【００１８】
また、カバー部材５が閉鎖される際、図７に示すように第２のフランジ部５ｄの係止片５ｅが第２の移動規制部材７の係止部７ａの一端側に当接するとともに、係止部７ａの傾斜により第２のフランジ部５ｄを弾性変形させながら係止部７ａを乗り越えて係止部７ａの他端側に移動する。これにより、係止片５ｅが係止部７ａの他端側にカバー部材５の開放方向に係止し、カバー部材５が閉鎖状態でロックされる。尚、カバー部材５に開放方向の力を加えると、前述の反対方向に係止片５ｅが係止部７ａを乗り越えて前記ロック状態が解除される。
【００１９】
ここで、金銭や商品の盗み出しを目的とする不正行為によって外扉２が開放され、例えば図８(a) に示すようにバール等の器具Ａをカバー部材５の上端側の縁部と収納部４の上面との隙間に挿入し、図８(b) に示すように器具Ａの先端から下方に力を加えてカバー部材５をこじ開けようとした場合、カバー部材５の第１のフランジ部５ｃがカバー部材５の内側に向かって折れ曲がり、第１のフランジ部５ｃが第１の移動規制部材６の係止部６ａに係止する。これにより、第１のフランジ部５ｃと第１の移動規制部材６の係止部６ａとの係止によりカバー部材５の開放方向への移動が規制され、カバー部材５を開放することができなくなる。
【００２０】
また、図９(a) に示すように器具Ａをカバー部材５の幅方向他端側（自由端側）の縁部と収納部４の側面との隙間に挿入し、図９(b) に示すように器具Ａの先端から側方に力を加えてカバー部材５をこじ開けようとした場合には、カバー部材５の第２のフランジ部５ｄがカバー部材５の内側に向かって折れ曲がるとともに、第２のフランジ部５ｄの係止片５ｅが第２の移動規制部材７の係止部７ａの傾斜に案内されながら長孔７ｂ内に挿入される。これにより、第２のフランジ部５ｄの係止片５ｅと第２の移動規制部材７の長孔７ｂとの係止によりカバー部材５の開放方向への移動が規制され、カバー部材５を開放することができなくなる。
【００２１】
このように、本実施形態によれば、カバー部材５の上端側及び幅方向他端側の縁部にそれぞれ収納部４内に向かって延びる折り曲げ可能な第１のフランジ部５ｃ及び第２のフランジ部５ｄを設け、収納部４内には第１のフランジ部５ｃまたは第２のフランジ部５ｄがカバー部材５の内側に向かって折り曲げられると、第１のフランジ部５ｃまたは第２のフランジ部５ｄに係止してカバー部材５の開放方向への移動を規制する第１の移動規制部材６及び第２の移動規制部材７を設けたので、バール等の器具Ａをカバー部材５の縁部と収納部４との隙間に挿入してカバー部材５をこじ開けようとしても、第１のフランジ部５ｃと第１の移動規制部材６との係止、または第２のフランジ部５ｄと第２の移動規制部材７との係止によりカバー部材５をこじ開けることができず、カバー部材５を不正に開放しようとする行為を効果的に阻止することができる。
【００２２】
また、第１の移動規制部材６に、折り曲げられた第１のフランジ部５ｃに係止する係止部６ａと、第１のフランジ部５ｃを間に係止部６ａと間隔をおいて配置された補強部６ｂとを設けたので、第１のフランジ部５ｃと補強部６ａとの間に器具Ａを挿入してカバー部材５をこじ開けようする際、補強部６ａによって第１のフランジ部５ｃと上方のフレーム部材７との間隔が広がるのを阻止することができ、防盗効果をより高めることができる。
【００２３】
この場合、第１の移動規制部材６をカバー部材５の第１のフランジ部５ｃに沿って延びる係止部６ａと補強部６ｂとを一体に有する略Ｕ字状の部材によって形成したので、係止部６ａと補強部６ｂとの間隔の広がりをより強固に阻止することができるとともに、部品点数を少なくすることができるので、製造コストの低減を図ることができる。
【００２４】
また、第２のフランジ部５ｄの先端にカバー部材５の幅方向一端側に向かってに延びる係止片５ｅを設け、第２のフランジ部５ｄがカバー部材５の内側に向かって折り曲げられると、第２のフランジ部５ｄの係止片５ｅが第２の移動規制部材７に設けた長孔７ｂに挿入され、係止片５ｅと長孔７ｂとの係止によりカバー部材５の開放方向への移動が規制されるようにしたので、カバー部材５と第２の移動規制部材７とを確実に係止させることができ、不正行為に対するカバー部材５の開放防止効果をより高めることができる。
【００２５】
更に、第２の移動規制部材７に、第２のフランジ部５ｄの係止片５ｅにカバー部材５の開放方向に係止するとともに、カバー部材５に開放方向の力を加えると、第２のフランジ部５ｄの弾性変形により係止片５ｅとの係止を解除される係止部７ａを設けたので、第２のフランジ部５ｄの係止片５ｅと第２の移動規制部材７の係止部７ａとの係止によりカバー部材５を閉鎖状態でロックすることができる。これにより、カバー部材５をロックするための別部品を設ける必要がなく、部品点数を少なくすることができる。
【００２６】
尚、前記実施形態では、第１のフランジ部５ｃと第１の移動規制部材６による係止構造と、第２のフランジ部５ｄと第２の移動規制部材７による係止構造とをそれぞれ設けたものを示したが、何れか一方の係止構造のみを設けるようにしてもよい。
【００２７】
また、前記実施形態では、第１の移動規制部材６として係止部６ａと補強部６ｂとを一体に有するものを用いたものを示したが、係止部６ａに相当する部材のみを設けるようにしたり、或いは係止部６ａ及び補強部６ｂに相当する一対の部材を互いに別体に設けるようにしてもよい。
【００２８】
更に、前記実施形態では、第１の移動規制部材６及びカバー部材５の第１のフランジ部５ｃを収納部４の上部に対応する位置に設けたものを示したが、収納部４の下部に対応する位置に設けるようにしてもよい。
【図面の簡単な説明】
【００２９】
【図１】本発明の一実施形態を示す自動販売機の全体斜視図
【図２】外扉を開放した状態を示す斜視図
【図３】カバー部材を開放した状態を示す斜視図
【図４】カバー部材及び移動規制部材を示す斜視図
【図５】収納部の上部を示す正面断面図
【図６】カバー部材の開閉動作を示す要部側面断面図
【図７】カバー部材の開閉動作を示す要部平面断面図
【図８】第１のフランジ部の係止動作を示す要部側面断面図
【図９】第２のフランジ部の係止動作を示す要部側面断面図
【符号の説明】
【００３０】
１…自動販売機本体、２…外扉、３…金銭処理装置、４…収納部、５…カバー部材、５ｃ…第１のフランジ部、５ｄ…第２のフランジ部、５ｅ…係止片、６…第１の移動規制部材、６ａ…係止部、６ｂ…補強部、７…第２の移動規制部材、７ａ…係止部、７ｂ…長孔。
【図１】
2005316915.tif 000003
【図２】
2005316915.tif 000004
【図３】
2005316915.tif 000005
【図４】
2005316915.tif 000006
【図５】
2005316915.tif 000007
【図６】
2005316915.tif 000008
【図７】
2005316915.tif 000009
【図８】
2005316915.tif 000010
【図９】
2005316915.tif 000011